(57)【要約】      （修正有）【課題】高さや位置を自由に設置できなかったクリップ式扇風機を好みの揚所から送風することができるようにする扇風機用スタンドを提供する。【解決手段】パイプ状の支柱３を三脚部５で支える。パイプ状の支柱３を、支柱本体９と、この支柱本体９の上端から側方に屈曲して延びる取り付け支持部１１と、から一体的に形成する。取り付け支持部１１の先端には固定プレート７を固定し、支持本体９を三脚部５に対して高さ調節可能なように構成しておく。固定プレート７を扇風機３９のクリップ４１で挟む。【選択図】図１
0003194620.tif 000002
【実用新案登録請求の範囲】
【請求項１】
固定用クリップを有する扇風機を取り付けるための扇風機用スタンドであって、
支柱と、この支柱の先端に設けられた、前記固定用クリップを取り付けるための固定部と、前記支柱を支える三脚部と、を備え、
前記支柱は、前記三脚部に高さ調節可能なように取り付けられた支柱本体と、この支柱本体の上端から屈曲して側方に延び、先端に前記固定部が設けられた取り付け支持部と、を有し、
前記三脚部には、第１の脚部と、この第１の脚部よりも長く形成された第２の脚部及び第３の脚部と、が設けられ、
前記取り付け支持部が、平面から見たときに、前記第１の脚部の延びる方向と反対側に延びるように、前記支柱本体は前記三脚部に支えられている、ことを特徴とする扇風機用スタンド。
【請求項２】
前記支柱本体は、前記取り付け支持部の延びる方向と反対側に傾いて上方に延びている、ことを特徴とする請求項１記載の扇風機用スタンド。
【請求項３】
前記三脚部の前記第１、第２及び第３の脚部はそれぞれ、取り付け基部側を中心に回転させて前記支柱本体と反対側に延びるように変形できる、ことを特徴とする請求項１又は２記載の扇風機用スタンド。
【考案の詳細な説明】
【技術分野】
【０００１】  本考案は、クリップ式扇風機の固定部を設けたスタンドに関するものである。
【背景技術】
【０００２】  これまでの扇風機は座敷扇、フロア扇、壁取り付け扇（特許文献１参照）、天井取り付け扇が通常であった。
【先行技術文献】
【特許文献】
【０００３】
【特許文献１】実用新案登録第２１１６６０５号
【考案の概要】
【考案が解決しようとする課題】
【０００４】  座敷扇や、フロア扇では天井や壁面の高所に設置することが出来ないが、壁取り付け扇や天井取り付け扇は床面に設置することが出来ない。
【課題を解決するための手段】
【０００５】  本考案は、クリップ式の扇風機を専用スタンドに取り付けることで、家具や突起の無い床にも設置できることになり、問題点を解決している。【０００６】  より具体的には、固定用クリップを有する扇風機を取り付けるための扇風機用スタンドであって、支柱と、この支柱の先端に設けられた、前記固定用クリップを取り付けるための固定部と、前記支柱を支える三脚部と、を備え、前記支柱は、前記三脚部に高さ調節可能なように取り付けられた支柱本体と、この支柱本体の上端から屈曲して側方に延び、先端に前記固定部が設けられた取り付け支持部と、を有し、前記三脚部には、第１の脚部と、この第１の脚部よりも長く形成された第２の脚部及び第３の脚部と、が設けられ、前記支柱本体は、前記取り付け支持部が、平面から見たときに、前記第１の脚部の延びる方向と反対側に延びるように、前記三脚部に支えられているものである。支柱本体の高さを調節することにより固定部の高さを変えることができる。取り付け支持部を側方に屈曲して延ばしているので、取り付け支持部の先端に設けられる固定部は、例えば水平に延びて固定用クリップを安定して取り付けられる態様で配置できる。取り付け支持部を、平面から見たときに、第１の脚部の延びる方向と反対側に延びるようにしておけば、側方に延びる取り付け支持部を設けてもスタンドを安定した構造のものとすることができる。例えば、取り付け支持部は、平面から見たときに、延長線が第２の脚部及び第３の脚部の中間又は中央を通るように形成される。第１の脚部を短く形成しておけば、三脚部が大型にならないように構成できる。【０００７】  支柱本体が取り付け支持部の延びる方向と反対側に傾いて上方に延びていれば、スタンドをより安定的なものとすることができる。【０００８】  三脚部の３本の脚部はそれぞれ、取り付け基部側を中心に回転させて支柱本体と反対側に延びるように変形できるのが好ましい。このように構成すれば、スタンドの収納に便利である。
【考案の効果】
【０００９】  上述のように、本考案のスタンドをクリップ式扇風機と併用で使用することにより家具や突起部分に取り付けたようにも、座敷扇やフロア扇のようにも使用でき、利用範囲が広がる。
【図面の簡単な説明】
【００１０】
【図１】本考案の扇風機用スタンドに扇風機を取り付ける前の状態を示す図である。
【図２】本考案の扇風機用スタンドに扇風機を下向きに取り付けた状態を示す図である。
【図３】本考案の扇風機用スタンドに扇風機を上向きに取り付けた状態を示す図である。
【図４】三脚部の平面図である。
【図５】三脚部の斜視図である。
【図６】三脚部のそれぞれの脚部を伸ばした状態の斜視部である。
【図７】クリップを示す図である。
【考案を実施するための形態】
【００１１】  以下、図面を参照して本考案の実施の形態を説明する。
【００１２】  まず、本考案に係る扇風機用スタンドの全体的な構成を図１乃至図３を参照して説明する。
【００１３】  扇風機用スタンド１は、パイプ状の支柱３と、この支柱３を支える三脚部５と、支柱３の先端に固定された固定プレート（固定部）７と、を備えている。支柱３は上方にストレートに延びる断面円形の支柱本体９と、この支柱本体９の上端から側方に屈曲して水平に又はほぼ水平に延びる断面円形の取り付け支持部１１とから一体的に形成されていて、取り付け支持部１１の先端に固定プレート７が水平に固定されている。三脚部５は、断面円形のパイプ状の組み付け部１３と、この組み付け部１３の下端部に接続された３本のパイプ状の第１の脚部１５、第２の脚部１７及び第３の脚部１９と、を備え、それぞれの脚部１５、１７、１９は１２０度の等間隔又はほぼ１２０度のほぼ等間隔で配置されている。第２の脚部１７及び第３の脚部１９は第１の脚部１５よりも長く形成されていて（図４も参照）、それぞれの脚部１５、１７、１９の先端には防水加工が施されたゴムキャップ２１が嵌め付けられている。組み付け部１３の下端部には、図５に示すように、脚取り付け部２３が設けられていて、この脚取り付け部２３は、１２０度の等間隔またはほぼ１２０度のほぼ等間隔で配置された取り付け用突出部２５、２７、２９を一体的に有している。それぞれの取り付け用突出部２５、２７、２９は、下面開放の断面コ字形又はＵ字形に形成されていて、この取り付け用突出部２５、２７、２９に脚部１５、１７、１９の後端部（取り付け基部）を嵌め入れ、取り付けピン３１で接続することにより、脚部１５、１７、１９を脚取り付け部２３に取り付けピン３１を中心に揺動可能に接続している。したがって、それぞれの脚部１５、１７、１９は、支柱本体９と反対側に、この支柱本体９と概略的には一直線状に伸びる収納状態（図６参照）から、突出部２５、２７、２９の上面部と当接する展開状態（図５）まで変位又は変形できる。突出部２５、２７、２９はそれぞれ、やや下方に傾斜して延びているので、それぞれの脚部１５、１７、１９も展開状態では下方に傾斜して延びていて、扇風機用スタンド１の使用時には、脚部１５、１７、１９の先端のゴムキャップ２１だけが床などに当たっていることになる。ゴムキャップ２１はすべり止め加工のものが好ましい。組み付け部１３は、例えば平面から見て、短い第１の脚部１５の延びる方向に若干傾きながら上方に延びるように形成されていて、組み付け部１３の上端部に形成された雌ねじ孔（図示せず）には高さ調節ねじ３３が取り付けられている。
【００１４】  支柱３の支柱本体９は組み付け部１３にスライド可能に挿入されていて、組み付け部１３からの支持本体９の突出高さを調節して高さ調節ねじ３３をねじ込むことにより支柱本体９を適当な突出高さ状態で組み付け部１３に固定できる。高さ調節ねじ３３による支柱本体９の固定構造は、高さ調節ねじ３３で支柱本体９の外周面を押圧する場合と、支柱本体９に高さ方向に並んで固定用孔（図示せず）を設けておき、高さ調節ねじ３３をこの固定用孔に差し込むことにより行う場合とが考えられる。取り付け支持部１１は、支柱本体９に対して９０度よりも小さな角度を有するように、例えば組み付け部１３の水平方向からの角度と同じ又はほぼ同じ角度を有するように形成される。このように形成することにより、支柱本体９を組み付け部１３に組み付けたときに取り付け支持部１１が水平方向又はほぼ水平方向を向くようにすることができる。支柱本体９の組み付けは、取り付け支持部１１、組み付け部１３及び短い第１の脚部１５、そして支柱本体９が同一の垂直面上に位置するように行われる。支柱本体９は組み付け部１３の延長線に沿って延び、例えば平面から見て、短い第１の脚部１５の延びる方向に若干傾きながら上方に延びている。平面から見て、取り付け支持部１１の延びる方向（図４で下側に向う方向）は第１の脚部１５の延びる方向（図４で上側に向う方向）と反対側であり、取り付け支持部１１の延長線（図４で下側に延びる）は第２の脚部１７と第３の脚部１９との中央又は２等分線に沿って延びている。固定プレート７は、平面から見て、先端側が脚取り付け部２３又は脚取り付け部２３の中央部よりも若干前側に突出するように位置している。Ｃ形ガイド３７は例えば支柱本体９に接着することができる。
【００１５】  固定プレート７の上面には凹凸形状３５が形成されている。凹凸形状３５は例えばラバークリップで形成できる。また、支柱本体９にはＣ形ガイド３７（図７参照）が高さ方向の複数個所に設けられている。
【００１６】  使用時には、図２に示すように、固定プレート７を扇風機３９のクリップ４１で挟み、扇風機３９のコード４３をＣ形ガイド３７に嵌め付ける。また、図３に示すように、扇風機３９を上向きに取り付けることもできる。ここでは、平面から見て、扇風機３９の最も重量の大きな部分であるモータ部が脚取り付け部２３の中央部よりも若干前側に位置することとなる。なお、Ｃ形ガイド３７に代えてバンドを用いてコード４３を支柱本体９に固定することもできる。
【産業上の利用可能性】
【００１７】  クリップ式扇風機と専用スタンドを使用することで、座敷扇としても利用できるため用途に応じて使用することができ便利なうえ、故障が発生したときはどちらかを交換すればよいため経済的でもある。
【符号の説明】
【００１８】扇風機用スタンド          １
支柱                      ３
三脚部                    ５
固定プレート（固定部）    ７
支柱本体                  ９
取り付け支持部          １１
第１の脚部              １５
第２の脚部              １７
第３の脚部              １９
【図１】
0003194620.tif 000003
【図２】
0003194620.tif 000004
【図３】
0003194620.tif 000005
【図４】
0003194620.tif 000006
【図５】
0003194620.tif 000007
【図６】
0003194620.tif 000008
【図７】
0003194620.tif 000009